(57)【要約】【課題】コストを低減して、複数の光源モジュールを電気的に接続できる光源ユニット等を提供する。【解決手段】光源ユニットは、離間する複数個の導電片１２Ａｄ，１２Ａｌに１個以上の光源素子１５ｌ，１５ｄが跨るように実装されてなる光源モジュール１０Ａを複数個電気的に接続してなり、光源モジュール１０Ａは、導電片１２Ａｄ，１２Ａｌに光源素子１５ｄ，１５ｌが実装することで構成される供給路の端部に位置する導電片１２０Ａｌ，１２０Ａｄに、他の光源モジュールに電気的に接続する接続部１４１ｌ，１４１ｄ，１４２ｌ，１４２ｄを一体で有する。【選択図】図７
2019117764.tif 000002
【特許請求の範囲】
【請求項１】
離間する複数個の導電片に１個以上の光源素子が跨るように実装されてなる光源モジュールを複数個電気的に接続してなる光源ユニットにおいて、
前記光源モジュールは、前記導電片に光源素子が実装することで構成される供給路の端部に位置する導電片に、他の光源モジュールに電気的に接続する接続部を一体で有する
光源ユニット。
【請求項２】
電気的に接続される２個の光源モジュールにおいて、少なくとも一方の光源モジュールの接続部は、他方の光源モジュールの前記導電片に接触するように、延伸する延伸部分により構成されている
請求項１に記載の光源ユニット。
【請求項３】
前記少なくとも一方の光源モジュールは、前記導電片と前記光源素子との接続を維持するための直線状の補強部を前記複数個の導電片の主面に有し、前記延伸部分は前記直線状の補強部の延長上に位置する
請求項２に記載の光源ユニット。
【請求項４】
電気的に接続される２個の光源モジュールは、前記一方の光源モジュールの延伸部分が前記他方の光源モジュールの前記導電片に接触する状態で、両者を結合する半田を有し、
前記接続部を有する導電片は、前記接続部と前記光源素子の実装部との間に貫通孔を有する
請求項２又は３に記載の光源ユニット。
【請求項５】
離間する複数個の導電片に１個以上の光源素子が跨るように実装されてなる光源モジュールを複数個電気的に接続してなる光源ユニットを備える照明装置において、
光源ユニットが請求項１〜４の何れか１項に記載の光源ユニットである
照明装置。
【発明の詳細な説明】
【技術分野】
【０００１】
本発明は、複数個の光源ユニットを電気的に接続してなる光源ユニット及び当該光源ユニットを備える照明装置に関する。
【背景技術】
【０００２】
近年、発光素子の一例であるＬＥＤを用いた照明装置を提案している（例えば、特許文献１）。
特許文献１に記載（２０段落）の照明装置では、「このＬＥＤ基板６は、複数のＬＥＤ素子６５と、複数の抵抗素子６６と、複数のＬＥＤ素子６５間や、ＬＥＤ素子６５と抵抗素子６６との間を接続する導電層６３と、導電層６３を覆って保護する保護層６４と、導電層６３に接続する第１のコネクタ６７及び第２のコネクタ６８と、を有する。」構成の２以上のＬＥＤ基板に設けられているコネクタ６７，６８を利用して配線で接続している。
【先行技術文献】
【特許文献】
【０００３】
【特許文献１】特開２０１５−１９１８９２号公報
【発明の概要】
【発明が解決しようとする課題】
【０００４】
特許文献１に開示された照明装置は、基板間の接続のためだけに使用される第１のコネクタ６７及び第２のコネクタ６８を各々のＬＥＤ基板上に実装し、ＬＥＤ基板上のコネクタ間を配線１１、２１で接続している。
このように、コネクタや配線が必要であり、また、これを実装したり、接続したりする工程が必要となる。
【０００５】
本発明は以上のような従来の課題を考慮してなされたものであり、従来よりもコストを低減して、複数の光源モジュールを電気的に接続できる光源ユニット及び照明装置を提供することを目的とする。
【課題を解決するための手段】
【０００６】
本発明に係る光源ユニットは、離間する複数個の導電片に１個以上の光源素子が跨るように実装されてなる光源モジュールを複数個電気的に接続してなる光源ユニットにおいて、前記光源モジュールは、前記導電片に光源素子が実装することで構成される供給路の端部に位置する導電片に、他の光源モジュールに電気的に接続する接続部を一体で有する。
本発明に係る照明装置は、離間する複数個の導電片に１個以上の光源素子が跨るように実装されてなる光源モジュールを複数個電気的に接続してなる光源ユニットを備える照明装置において、光源ユニットが上記の光源ユニットである。
【発明の効果】
【０００７】
本発明に係る光源ユニットは、コネクタ等を用いずに、光源ユニットに直接接続するため、コストを低減できる。
【図面の簡単な説明】
【０００８】
【図１】実施形態に係る照明装置の斜視図であり、（ａ）は表側から見た図であり、（ｂ）は裏側から見た図である。
【図２】照明装置の分解状態を表側から見た斜視図である。
【図３】照明装置の断面図である。
【図４】（ａ）は透光性カバーを取り外した状態を表側から見た図であり、（ｂ）はさらに保護カバーを取り外した状態を表側から見た図である。
【図５】（ａ）は照明装置を裏側から見た図であり、（ｂ）は透光性カバーを取り外した状態を裏側から見た図である。
【図６】（ａ）は光源ユニットを表側から見た図であり、（ｂ）は光源ユニットを裏側からみた図である。
【図７】（ａ）は配線体を表側から見た図であり、（ｂ）は配線体を裏側から見た図である。
【図８】配線体から補強体を取り除いた状態を表側から見た図である。
【図９】（ａ）は配線体を表側から見た図であり、（ｂ）は配線体を裏側から見た図である。
【図１０】配線体から補強体を取り除いた状態を表側から見た図である。
【図１１】器具本体の斜視図であり、（ａ）は表側から見た図であり、（ｂ）は裏側から見た図である。
【図１２】配線体の器具本体への取付状態を説明するための図であり、１つの配線体を取り外している。
【図１３】電源ユニットの分解状態を表側から見た斜視図である。
【図１４】電源ユニットの分解状態を裏側から見た斜視図である。
【図１５】保護カバーを裏側から見た斜視図であり、一部を切り欠いている。
【図１６】配線体と保護カバーとの当接状態を説明するための図であり、配線体及び保護カバーを切り欠いている。
【図１７】保護カバーの斜視図である。
【図１８】透光性カバーの分解状態の断面を示す斜視図である。
【発明を実施するための形態】
【０００９】
＜概要＞
実施形態の一態様に係る光源ユニットは、離間する複数個の導電片に１個以上の光源素子が跨るように実装されてなる光源モジュールを複数個電気的に接続してなる光源ユニットにおいて、前記光源モジュールは、前記導電片に光源素子が実装することで構成される供給路の端部に位置する導電片に、他の光源モジュールに電気的に接続する接続部を一体で有する。これにより、複数個の光源モジュールを安価に電気的に接続できる。
実施形態の別態様に係る光源ユニットにおいて、電気的に接続される２個の光源モジュールにおいて、少なくとも一方の光源モジュールの接続部は、他方の光源モジュールの前記導電片に接触するように、延伸する延伸部分により構成されている。これにより、容易に接続部を有することができる。
実施形態の別態様に係る光源ユニットにおいて、前記少なくとも一方の光源モジュールは、前記導電片と前記光源素子との接続を維持するための直線状の補強部を前記複数個の導電片の主面に有し、前記延伸部分は前記直線状の補強部の延長上に位置する。これにより、補強部と延伸部分とが平行となり、補強部を安価に設けることができる。
実施形態の別態様に係る光源ユニットにおいて、電気的に接続される２個の光源モジュールは、前記一方の光源モジュールの延伸部分が前記他方の光源モジュールの前記導電片に接触する状態で、両者を結合する半田を有し、前記接続部を有する導電片は、前記接続部と前記光源素子の実装部との間に貫通孔を有する。これにより、半田時の熱が光源素子に伝わるのを抑制できる。
実施形態の一態様に係る照明装置は、離間する複数個の導電片に１個以上の光源素子が跨るように実装されてなる光源モジュールを複数個電気的に接続してなる光源ユニットを備える照明装置において、光源ユニットが上記の光源ユニットである。これにより、複数個の光源モジュールを安価に電気的に接続できる。
【００１０】
＜実施形態＞
実施形態では、天井等の被取付面に取付部材を介して取り外し可能に取り付けられる照明装置の一例として、取付部材である引掛刃を備えるシーリングライトについて説明する。
【００１１】
１．全体概要
主に図１及び図２を用いて説明する。
照明装置Ａは、少なくとも、光源ユニット１（図１には現れていない）及び器具本体３を備える。なお、器具本体３は本発明の「ベース」の一例に相当し、光源ユニット１は器具本体３に搭載される。
シーリングライトである照明装置Ａは、光源ユニット１に電力を供給する電源ユニット５と、光源ユニット１を覆う透光性カバー７とを備える。ここでの照明装置Ａは、図２に示すように、光源ユニット１と透光性カバー７との間に光源ユニット１を保護する保護カバー９を備える。
ここで、被取付面に取り付けられる照明装置Ａにおいて、被取付面側を裏側とし、被取付面と反対側を表側とする。
以下、各部について説明する。
【００１２】
２．各部構成
（１）光源ユニット
光源ユニット１は、図２に示すように、中央に開口１ａを有する環状をしている。ここでは円環状をしている。
光源ユニット１は、図６に示すように、３つの光源モジュール１０Ａ，１０Ｂ，１０Ｃを電気的に接続してなる。ここでの光源モジュール１０Ｂと光源モジュール１０Ｃは同じ構成であるが、すべて異なる光源モジュールにより光源ユニットが構成されてもよい。なお、光源モジュールを区別する必要がない場合は、符号「１０」を用いる。
光源モジュール１０は、図６に示すように、複数個の導電片１２からなる配線体１１と、配線体１１に配された複数個の光源としてのＬＥＤ素子（以下、単に「ＬＥＤ」とする）１５とを備える。ここでの光源モジュール１０は、配線体１１を補強する補強体１７を備える。
【００１３】
ここで、光源モジュール１０Ａに含まれる部材等の構成を示す符号には「Ａ」を付し、光源モジュール１０Ｂの構成を示す符号には「Ｂ」を付し、光源モジュール１０Ｃの構成を示す符号には「Ｃ」を付して、区別する。例えば、光源モジュール１０Ａの配線体の符号を「１１Ａ」とする。
ここでのＬＥＤ１５は調色可能とするため発光色が異なる２種類ある。一方は昼白色であり、そのＬＥＤの符号を「１５ｄ」とし、他方は電球色であり、そのＬＥＤの符号を「１５ｌ」とする。なお、区別する必要がない場合は、符号「１５」を用いる。
光源ユニット１において、昼白色のＬＥＤ（以下、「昼白色ＬＥＤ」とする）１５ｄに電流を供給する供給路を昼白色供給路といい、電球色のＬＥＤ（以下、「電球色ＬＥＤ］とする）１５ｌに電流を供給する供給路を電球色供給路という。なお、昼白色供給路と電球色供給路を区別する必要がない場合は、単に供給路という。
【００１４】
光源モジュール１０Ａ，１０Ｂ，１０Ｃは、図６に示すように、３個で円環状を構成する。ここでは、３個の光源モジュール１０Ａ，１０Ｂ，１０Ｃは、略同じ形状をし、円環を周方向に３等分した幅のある円弧状をしている。換言すると、１つの光源モジュール１０を表側から見ると、扇形状における直線の交点部分が当該扇形状と相似形状の扇形状に切り取られたような形状をしている。この光源モジュール１０の形状を１／３円環形状とする。なお、（円）環形状がｎ個の光源モジュールにより構成される場合、この光源モジュールの形状は１／ｎ（円）環形状とする。また、１／３円環形状の光源モジュール１０において、その周方向の中央であって径方向に延伸する仮想線を「Ｘ１」とする。ここで、電源ユニット５と接続される光源モジュールの符号を「１０Ａ」とし、光源ユニット１を表側から見たときに、光源モジュール１０Ａの時計回り側に位置するモジュールを光源モジュール１０Ｂとする。
【００１５】
光源ユニット１は、貫通孔１０１，１０２を光源モジュール１０Ａに有している。貫通孔１０１，１０２は電源ユニット５の受信部５５５及び常夜灯部５５６（図１３参照）を、光源モジュール１０Ａの表側から見えるようにするものである。ここでの貫通孔１０１，１０２は光源モジュール１０Ａの外周側であって仮想線Ｘ１の両側にある。
光源ユニット１は、電源ユニット５から受電するためのコネクタ１０３ｉ，１０４ｏ，１０５ｏを光源モジュール１０Ａに有する。コネクタ１０３ｉは入力用であり、コネクタ１０４ｏは昼白色供給路からの出力用であり、コネクタ１０５ｏは電球色供給路からの出力用である。ここでのコネクタ１０３ｉ、１０４ｏ，１０５ｏは光源モジュール１０Ａの外周側であって仮想線Ｘ１の両側にある。
【００１６】
３つの光源モジュール１０Ａ，１０Ｂ，１０Ｃ中の電流は、例えば、図６において、光源モジュール１０Ａのコネクタ１０３ｉから光源モジュール１０Ａの半分、光源モジュール１０Ｃ、光源モジュール１０Ｂ、光源モジュール１０Ａの残り半分を経由してコネクタ１０４ｏ，１０５ｏへと流れる。つまり、表側から光源ユニット１を見たときに反時計回りに電流が流れる。
ここでの光源モジュール１０は、３個の昼白色ＬＥＤ１５ｄを直列接続してなる９個の直列群を並列に電気接続し、３個の電球色ＬＥＤ１５ｌを直列接続してなる９個の直列群を並列に電気接続している（３直９並列接続である）。
【００１７】
（１−１）配線体
図８及び図１０を用いて説明する。
複数個の導電片１２は、電球色供給路を構成する複数個の電球色導電片１２ｌと、昼白色供給路を構成する複数個の昼白色導電片１２ｄとを離間状態で備える。なお、図８は光源モジュール１０Ａの配線体１１Ａであり、図１０は光源モジュール１０Ｂの配線体１１Ｂである。昼白色導電片１２ｄ及び電球色導電片１２ｌは例えば錫メッキ鋼板等の金属製である。
これにより、配線体１１や光源ユニット１のコスト削減を図ることできる。さらに、光源ユニット１のコスト削減を図ることで、配線体（導電片）を大きくでき、例えばＬＥＤ１５を全面に配置することも可能となる。また、従来のようにプリント配線する必要がなく工数の削減を図ることができる。なお、金属板を用いることで良好な放熱特性が得られる。
ここでの導電片１２におけるＬＥＤ１５を実装する側の面には、ＬＥＤ実装部分を除いて反射膜が形成されている。ここでの反射膜は白色の塗装により構成されている。これにより、昼白色ＬＥＤ１５ｄ及び電球色ＬＥＤ１５ｌから発せられた光を反射させて有効に利用できる。
【００１８】
（１−１−１）電球色導電片
電球色導電片１２ｌは、配線体１１における周方向の端部に位置する２個の外側電球色導電片１２０ｌと、周方向における２個の外側電球色導電片１２０ｌ間に位置する複数個の内側電球色導電片１２１ｌとを備える。
内側電球色導電片１２１ｌは、表側から見たときに、「Ｕ」字状をしている。より具体的は、内側電球色導電片１２１ｌは、基部１２３ｌと、当該基部１２３ｌから径方向の外側へと延伸する一対の延伸部１２４ｌ，１２５ｌとを有している。なお、時計回りの方向を一方とする。
外側電球色導電片１２０ｌは、表側から見たときに、内側電球色導電片１２１ｌを径方向に延伸する仮想線で半分にしたような形状をしている。外側電球色導電片１２０ｌは、基部１２６ｌと、当該基部１２６ｌから径方向の外側へと延伸する１本の延伸部１２７ｌとを有している。
複数個の内側電球色導電片１２１ｌは、隣接する２つの内側電球色導電片１２１ｌにおいて、周方向の一方側に位置する内側電球色導電片１２１ｌの他方の延伸部１２５ｌと、周方向の他方側に位置する内側電球色導電片１２１ｌの一方の延伸部１２４ｌとが対向する状態で、周方向に配されている。複数個（例えば３個）の電球色ＬＥＤ１５ｌは、図７の（ａ）や図９の（ａ）に示すように、対向する延伸部１２４ｌと延伸部１２５ｌとに跨るように実装されている。
【００１９】
周方向の一方端側に位置する外側電球色導電片１２０ｌは、周方向の配された複数個の内側電球色導電片１２１ｌの一方端に位置する内側電球色導電片１２１ｌの一方の延伸部１２４ｌに延伸部１２７ｌが対向する状態で、配される。なお、複数個（例えば３個）の電球色ＬＥＤ１５ｌは、図７の（ａ）や図９の（ａ）に示すように、対向する延伸部１２４ｌと延伸部１２７ｌとに跨るように実装されている。
周方向の他方端側に位置する外側電球色導電片１２０ｌは、周方向の配された複数個の内側電球色導電片１２１ｌの他方端に位置する内側電球色導電片１２１ｌの他方の延伸部１２５ｌに延伸部１２７ｌが対向する状態で、配される。なお、複数個（例えば３個）の電球色ＬＥＤ１５ｌは、図７の（ａ）や図９の（ａ）に示すように、対向する延伸部１２５ｌと延伸部１２７ｌとに跨るように実装されている。
【００２０】
（１−１−２）昼白色導電片
昼白色導電片１２ｄは、配線体１１における周方向の端部に位置する２個の外側昼白色導電片１２０ｄと、周方向における２個の外側昼白色導電片１２０ｄ間に位置する複数個の内側昼白色導電片１２１ｄとを備える。
内側昼白色導電片１２１ｄは、表側から見たときに、逆「Ｕ」字状をしている。より具体的は、内側昼白色導電片１２１ｄは、基部１２３ｄと、当該基部１２３ｄから径方向の内側へと延伸する一対の延伸部１２４ｄ，１２５ｄとを有している。
外側昼白色導電片１２０ｄは、表側から見たときに、内側昼白色導電片１２１ｄを径方向に延伸する仮想線で半分にしたような形状をしている。外側昼白色導電片１２０ｄは、基部１２６ｄと、当該基部１２６ｄから径方向の内側へと延伸する１本の延伸部１２７ｄとを有している。
複数個の内側昼白色導電片１２１ｄは、隣接する２つの内側昼白色導電片１２１ｄにおいて、周方向の一方側に位置する内側昼白色導電片１２１ｄの他方の延伸部１２５ｄと、周方向の他方側に位置する内側昼白色導電片１２１ｄの一方の延伸部１２４ｄとが対向する状態で、周方向に配されている。複数個（例えば３個）の昼白色ＬＥＤ１５ｄは、図７の（ａ）や図９の（ａ）に示すように、対向する延伸部１２４ｄと延伸部１２５ｄとに跨るように実装されている。
【００２１】
周方向の一方端側に位置する外側昼白色導電片１２０ｄは、複数個の内側昼白色導電片１２１ｄの一方端に位置する内側昼白色導電片１２１ｄの一方の延伸部１２４ｄに延伸部１２７ｄが対向する状態で、配される。なお、複数個（例えば３個）の昼白色ＬＥＤ１５ｄは、図７の（ａ）や図９の（ａ）に示すように、対向する延伸部１２４ｄと延伸部１２７ｄとに跨るように実装されている。
周方向の他方端側に位置する外側昼白色導電片１２０ｄは、周方向の配された複数個の内側昼白色導電片１２１ｄの他方端に位置する内側昼白色導電片１２１ｄの他方の延伸部１２５ｄに延伸部１２７ｄが対向する状態で、配される。なお、複数個（例えば３個）の昼白色ＬＥＤ１５ｄは、図７の（ａ）や図９の（ａ）に示すように、対向する延伸部１２５ｄと延伸部１２７ｄとに跨るように実装されている。
【００２２】
（１−１−３）昼白色導電片と電球色導電片との組み合わせ
周方向に隣接する２個の内側昼白色導電片１２１ｄ，１２１ｄは、一方側に位置する内側昼白色導電片１２１ｄの他方側の延伸部１２５ｄと、他方側に位置する内側昼白色導電片１２１ｄの一方側の延伸部１２４ｄとが対向する状態で、径方向の内側に位置する１個の内側電球色導電片１２１ｌの一対の延伸部１２４ｌ，１２５ｌ間に位置するように、配される。
内側電球色導電片１２１ｌでいうと、周方向に隣接する２個の内側電球色導電片１２１ｌ，１２１ｌは、一方側に位置する内側電球色導電片１２１ｌの他方側の延伸部１２５ｌと、他方側に位置する内側電球色導電片１２１ｌの一方側の延伸部１２４ｌとが対向する状態で、径方向の外側に位置する１個の内側昼白色導電片１２１ｄの一対の延伸部１２４ｄ，１２５ｄ間に位置するように、配される。
【００２３】
（１−１−４）電気接続
周方向の両端の外側昼白色導電片１２０ｄは、隣接する他の光源モジュール１０Ａ，１０Ｂ，１０Ｃの外側昼白色導電片１２０ｄと電気的に接続する昼白色接続部を一体で有している。ここでは、周方向の一方端に位置する外側昼白色導電片１２０ｄの一方側接続部の符号を「１４１ｄ」とし、周方向の他方端に位置する外側昼白色導電片１２０ｄの他方側接続部の符号を「１４２ｄ」とする。
２個の一方側接続部１４１ｄと他方側接続部１４２ｄのうち、少なくとも一方の接続部（ここでは一方側接続部１４１ｄである）は、周方向の外方に延伸する形状をしている。一方側接続部１４１ｄは、図６に示すように、他の光源モジュール１０Ａ，１０Ｂ，１０Ｃの他方側接続部１４２ｄと接触する。
【００２４】
一方側接続部１４１ｄは、図８及び図１０に示すように、一方側に隣接する他の光源モジュール１０Ａ，１０Ｂ，１０Ｃの外側昼白色導電片１２０ｄの他方側接続部１４２ｄに当接するように段差状に延伸する。他方側接続部１４２ｄは、他の光源モジュール１０Ａ，１０Ｂ，１０Ｃの一方側接続部１４１ｄが接触する部分により構成される。
光源モジュール１０Ａ，１０Ｂ，１０Ｃにおいて、周方向の両端部に位置する外側昼白色導電片１２０ｄの端縁は径方向に延伸する直線状をしており、一方側接続部１４１ｄが周方向に一方側に位置する他方の光源モジュール側に延伸することで、電気的に接続できる。これにより、接続のための部品を別途用意する必要がなくなり、複数個の光源モジュール１０を安価に電気的に接続できる。
また、一方側接続部１４１ｄは、図７及び図９に示すように、補強体１７の表側端補強部２２３及び裏延伸部分２３６の延伸上に位置する。これにより、表側補強部２２及び裏側補強部２３を容易に設けることができる。また、ＬＥＤ１５ｄを実装するために、クリーム半田を表側補強部２２３に沿って塗布治具（スキージ）で塗布する際、一方側接続部１４１ｄが塗付冶具と干渉するのを防止できる。
【００２５】
周方向の両端の外側電球色導電片１２０ｌは、隣接する他の光源モジュール１０Ａ，１０Ｂ，１０Ｃの外側電球色導電片１２０ｌと電気的に接続する電球色接続部を一体で有している。ここでは、周方向の一方端に位置する外側電球色導電片１２０ｌの一方側接続部の符号を「１４１ｌ」とし、周方向の他方端に位置する外側電球色導電片１２０ｌの他方側接続部の符号を「１４２ｌ」とする。
２個の一方側接続部１４１ｌと他方側接続部１４２ｌのうち、少なくとも一方の接続部（ここでは一方側接続部１４１ｌである）は、周方向の外方に延伸する形状をしている。一方側接続部１４１ｌは、図６に示すように、他の光源モジュール１０Ａ，１０Ｂ，１０Ｃの他方側接続部１４２ｌと接触する。
【００２６】
一方側接続部１４１ｌは、図８及び図１０に示すように、一方側に隣接する他の光源モジュール１０Ａ，１０Ｂ，１０Ｃの外側電球色導電片１２０ｌの他方側接続部１４２ｌに当接するように段差状に延伸する。他方側接続部１４２ｌは、他の光源モジュール１０Ａ，１０Ｂ，１０Ｃの一方側接続部１４１ｌが接触する部分により構成される。
光源モジュール１０Ａ，１０Ｂ，１０Ｃにおいて、周方向の両端部に位置する外側電球色導電片１２０ｌの端縁は径方向に延伸する直線状をしており、一方側接続部１４１ｌが周方向に一方側に位置する他の光源モジュール側に延伸することで、電気的に接続できる。これにより、接続のための部品を別途用意する必要がなくなり、複数個の光源モジュール１０を安価に電気的に接続できる。
また、一方側接続部１４１ｌは、図７及び図９に示すように、補強体１７の表側端補強部２２３及び裏延伸部分２３６の延伸上に位置する。これにより、表側補強部２２及び裏側補強部２３を容易に設けることができる。また、ＬＥＤ１５ｌを実装するために、クリーム半田を表側補強部２２３に沿って塗布治具（スキージ）で塗布する際、一方側接続部１４１ｌが塗付冶具と干渉するのを防止できる。
【００２７】
光源モジュール１０Ａ，１０Ｂ，１０Ｃは、他の光源モジュール１０との電気接続に半田を利用している。このため、半田時の熱が導電片１２に伝導し難いように熱伝導防止部を有している。熱伝導防止部は、図８及び図１０に示すように、貫通孔１４５ｄ，１４５ｌにより構成されている。
外側昼白色導電片１２０ｄにおいて、貫通孔１４５ｄは、一方側接続部１４１ｄと他方側接続部１４２ｄの周辺に形成されている。貫通孔１４５ｄは、外側昼白色導電片１２０ｄにおける昼白色ＬＥＤ１５ｄの実装部分と、一方側接続部１４１ｄ及び他方側接続部１４２ｄとの間であって、一方側接続部１４１ｄと他方側接続部１４２ｄの近傍部分に設けられている。
外側電球色導電片１２０ｌにおいて、貫通孔１４５ｌは、一方側接続部１４１ｌと他方側接続部１４２ｌの周辺に形成されている。貫通孔１４５ｌは、外側電球色導電片１２０ｌにおける電球色ＬＥＤ１５ｌの実装部分と、一方側接続部１４１ｌ及び他方側接続部１４２ｌとの間であって、一方側接続部１４１ｌと他方側接続部１４２ｌの近傍部分に設けられている。
【００２８】
配線体１１は、光源モジュール１０を器具本体３に位置合わせするための位置合わせ部を有している。具体的には、位置合わせ部は、導電片１２に設けられた貫通孔１３１により構成される。
配線体１１は、各導電片１２の連結状態を維持するための補強体用の貫通孔１３２を有している。
【００２９】
（１−１−５）配線体１１Ａ
光源モジュール１０Ａは、図７に示すように、仮想線Ｘ１の周辺にコネクタ１０３ｉ，１０４ｏ，１０５ｏを有している。このため、仮想線Ｘ１上で配線体１１Ａの両側部分で絶縁している。図８に示すように、仮想線Ｘ１の時計回り側で近接する中央電球色導電片１２２ｌは、径方向に沿って延伸し、基部１２８ｌと、当該基部１２８ｌから延伸する１本の延伸部１２９ｌとを有している。同様に、仮想線Ｘ１の時計回り側で近接する中央昼白色導電片１２２ｄは、基部１２８ｄと、当該基部１２８ｄから径方向の内側に延伸する１本の延伸部１２９ｄとを有している。
【００３０】
光源モジュール１０Ａは、図７に示すように、貫通孔１０１，１０２を有している。貫通孔１０１は、図８に示すように、孔に対応する位置にある中側電球色導電片１２１ｌａと中側昼白色導電片１２１ｄａとの間隔を広くすることで、構成されている。同様に、貫通孔１０２は、図８に示すように、孔に対応する位置にある中央電球色導電片１２２ｌと中央昼白色導電片１２２ｄとの間隔を広くすることで、構成されている。
【００３１】
（１−２）ＬＥＤ
ＬＥＤ１５は、上述のとおり、電球色を発する電球色ＬＥＤ１５ｌと、昼白色を発する昼白色ＬＥＤ１５ｄとの２種類がある。これにより、照明装置Ａは調色可能となる。
複数個のＬＥＤ１５は、図７及び図９に示すように、各配線体１１Ａ，１１Ｂ，１１Ｃにおいて、径方向に間隔をおいて複数個配された昼白色ＬＥＤ群と、径方向に間隔をおいて複数個配された電球色ＬＥＤ群とを、周方向に交互に位置するように、配されている。なお、ＬＥＤ群を構成するＬＥＤ１５の個数は３個である。
図７に示すように、各昼白色ＬＥＤ群を構成する３個の昼白色ＬＥＤ１５ｄの内の内側の２個と、各電球色ＬＥＤ群を構成する３個の電球色ＬＥＤ１５ｌの内の外側の２個とが、径方向で位置をずらして周方向に隣接するように、配線体１１に配されている。これにより、光源モジュール１０の全面にＬＥＤ１５が配置されることになり、全面がきれいに光るようにできる。
【００３２】
（１−３）補強体
主に図７及び図９を用いて説明する。
補強体１７は、離間して配されている複数個の導電片１２の間に設けられた介在補強部２１を有している。補強体１７は、配線体１１における表面に設けられた表側補強部２２を有している。補強体１７は、配線体１１における裏面に設けられた裏側補強部２３を有している。
介在補強部２１、表側補強部２２及び裏側補強部２３は絶縁性材料に構成されている。これにより、隣接する導電片１２同士の絶縁性は確保される。
ここでは、絶縁性の樹脂とガラス粒子とから構成されている。なお、絶縁性の樹脂として難燃性Ｖ−０のガラス入りナイロンが利用されている。ガラス粒子を用いることで、難燃性を向上させることができる。
【００３３】
（１−３−１）介在補強部
介在補強部２１は、配線体１１を構成する離間する複数個の導電片１２の間に配されている。これにより、隣接する導電片１２の端面同士が結合され、複数個の導電片１２が離間（分解）するのを防止できる。なお、介在補強部２１は絶縁性材料により構成されており、隣接する導電片１２間の絶縁性を確保している。
介在補強部２１は、隣接する導電片１２の間の空間が直線状をし且つ当該直線状部分を充填する直線部分２１ａと、空間が円状をし且つ当該円状部分を充填する円部分２１ｂとを含む。なお、円部分２１ｂを設けることで補強効果が向上する。
【００３４】
（１−３−２）表側補強部
主に図７の（ａ）及び図９の（ａ）を用いて説明する。
表側補強部２２は介在補強部２１と連結するように設けられている。
表側補強部２２は、仮想線Ｘ１上に位置する表側中央補強部２２１と、表側中央補強部２２１の両側に位置する表側端補強部２２３とを含む。
表側中央補強部２２１は、仮想線Ｘ１の両側を仮想線Ｘ１と平行に延伸する一対の表延伸部分２２４と、１対の表延伸部分２２４を仮想線Ｘ１の延伸方向に間隔をおいて連結する表連結部分２２５とを有している。これにより、配線体１１における周方向の中央部分を補強できる。
表側端補強部２２３は、複数本あり、仮想線Ｘ１と平行に延伸する。表側端補強部２２３は複数個の導電片１２に跨る状態で形成されている。これにより、複数個の導電片１２からなる配線体１１を補強できる。表側端補強部２２３は、図８及び図１０に示す導電片１２の貫通孔１３２に入り込むように形成されている。これにより、表側端補強部２２３が配線体１１から外れ難くできる。
なお、図７の（ａ）及びに図９の（ａ）に示すように、複数個のＬＥＤ１５は、仮想線Ｘ１と直交する方向に隣接する２つの表側補強部２２間に配されている。
【００３５】
配線体１１Ａでは、図８に示す仮想線Ｘ１の両側の中央電球色導電片１２２ｌ，１２２ｌａに、一対の表延伸部分２２４が形成されている。配線体１１Ｂでは、図１０に示す仮想線Ｘ１の両側の中央電球色導電片１２２ｌと中央昼白色導電片１２２ｄに、一対の表延伸部分２２４が形成されている。
【００３６】
（１−３−３）裏側補強部
主に図７の（ｂ）及び図９の（ｂ）を用いて説明する。
裏側補強部２３は介在補強部２１と連結するように設けられている。
裏側補強部２３は、仮想線上に位置する裏側中央補強部２３１と、裏側中央補強部２３１の両側に位置する裏側端補強部２３３とを含む。
裏側中央補強部２３１は、仮想線Ｘ１の両側を仮想線Ｘ１と平行に延伸する一対の裏延伸部分２３４と、１対の裏延伸部分２３４を仮想線Ｘ１の延伸方向に間隔をおいて連結する裏連結部分２３５とを有している。これにより、配線体１１における周方向の中央部分を補強できる。
裏側端補強部２３３は、仮想線Ｘ１と平行に延伸する複数本の裏延伸部分２３６を含む。裏側端補強部２３３は、複数本の裏延伸部分２３６を仮想線Ｘ１と直交する方向に連結する裏連結部分２３７を含む。裏側端補強部２３３は、配線体１１の外周端側で隣接する裏延伸部分２３６を円弧状に連結する裏端連結部分２３８を含む。裏側端補強部２３３は、配線体１１の周方向の端部側で隣接する裏延伸部分２３６を連結する裏端連結部分２３９を含む。これにより、複数個の導電片１２からなる配線体１１を補強できる。裏側端補強部２３３は、図８及び図１０に示す導電片１２の貫通孔１３２に貼り込むように形成されている。これにより、裏側端補強部２３３が配線体１１から外れ難くできる。また、表側端補強部２２３と裏側端補強部２３３が、貫通孔１３２と通じて接続されることになり、表側補強部２２と裏側補強部２３を一体化することができ、より外れ難くできる。
【００３７】
配線体１１Ａでは、図８に示す仮想線Ｘ１の両側の中央電球色導電片１２２ｌ，１２２ｌａに、一対の裏延伸部分２３４が形成されている。配線体１１Ｂでは、図１０に示す仮想線Ｘ１の両側の中央電球色導電片１２２ｌと中央昼白色導電片１２２ｄに、一対の裏延伸部分２３４が形成されている。
表側補強部２２の表側中央補強部２２１の裏側には、裏側補強部２３の裏側中央補強部２３１が設けられている。表側補強部２２の表側端補強部２２３の裏側には、裏側補強部２３の裏延伸部分２３６が設けられている。
【００３８】
（２）器具本体
まず、図２を用いて説明する。
器具本体３は光源ユニット１を表面に搭載する機能を有する。器具本体３は電源ユニット５を裏面に搭載する機能を有する。器具本体３は保護カバー９を搭載（固定）する機能を有する。器具本体３は保護カバー９を介して透光性カバー７を支持する機能を有する。器具本体３は製造時に複数枚を重ねて搬送することが可能な機能を有する。
【００３９】
以下、図１１を用いて説明する。
器具本体３の外観形状は、表裏側から見ると、光源ユニット１の外周形状と同じ形状をしている。つまり、中央に開口３１を有する円環状をしている。なお、器具本体の外観形状は光源ユニットの外観形状と異なる他の形状としてもよい。器具本体３は、樹脂材料(例えばポリプロピレンである）等の絶縁性材料により構成されている。
【００４０】
（２−１）平板部
器具本体３は被設置面と略平行な平板部３２を有する。器具本体３は、開口３１と光源ユニット１の開口１ａ（図２参照）とが一致する状態で、光源ユニット１を搭載する。光源ユニット１は、平板部３２の表面が光源ユニット１の裏側補強部２３（図７の（ｂ）及び図９の（ｂ）参照）に当接又は近接する状態で、固定具の一例であるねじ８３（図２参照）により保護カバー９を介して器具本体３に固定される。
【００４１】
器具本体３は平板部３２から裏側に凹入する凹部３３を有している。凹部３３は、図１１に示すように、開口３１の中央を中心とする円弧状に設けられた円弧状凹部３３１と、周方向に間隔をおいて箱状に設けられた２個の箱状凹部３３３とを有している。円弧状凹部３３１は補強用であり、箱状凹部３３３は図１の（ｂ）に示す弾性体４の装着用である。
弾性体４は、照明装置Ａを被設置面に取り付けた際に装置のガタツキを無くするためのものであり、図１の（ｂ）に示すように、電源ユニット５にも装着されており、合計で３個あり、これらが周方向に略等間隔で設けられている。
【００４２】
器具本体３は、図１１の（ａ）に示すように、平板部３２から表側に突出する凸部３４を有している。凸部３４は、内周側の内周側凸部３４１と、外周側の外周側凸部３４３と、径方向に延伸する径方向側凸部３４５とを含む。
以下、図１２を用いて説明する。
内周側凸部３４１は、光源ユニット１の内周端部を支持する内周側第１凸部分３４１ａと、光源ユニット１の内周縁を位置決めする内周側第２凸部分３４１ｂとを有する。外周側凸部３４３は、光源ユニット１の外周端部を支持する外周側第１凸部分３４３ａと、光源ユニット１の外周縁を位置決めする外周側第２凸部分３４３ｂとを有する。径方向側凸部３４５は、途中に円弧状凹部３３１があり、円弧状凹部３３１の内側の径方向側内凸部３４７と、円弧状凹部３３１の外側の径方向側外凸部３４９とを有する。径方向側内凸部３４７は、光源モジュール１０の周方向の端部を支持する径方向側内第１凸部分３４７ａと、光源モジュール１０の周方向の端縁を位置決めする径方向側内第２凸部分３４７ｂとを有する。径方向側外凸部３４９は、光源モジュール１０の周方向の端部を支持する径方向側外第１凸部分３４９ａと、光源モジュール１０の周方向の端縁を位置決めする径方向側外第２凸部分３４９ｂとを有する。
【００４３】
内周側第１凸部分３４１ａ、径方向側内第１凸部分３４７ａ、径方向側外第１凸部分３４９ａ及び外周側第１凸部分３４３ａの突出量は、光源モジュール１０の裏側補強部２３（図７及び図９参照）の高さ以上である。つまり、光源ユニット１を器具本体３に載置すると、光源モジュール１０の径方向の端部である内周端部及び外周端部、光源モジュール１０の周方向の端部である周方向側端部が、内周側第１凸部分３４１ａ、径方向側内第１凸部分３４７ａ、径方向側外第１凸部分３４９ａ及び外周側第１凸部分３４３ａに当接する。
【００４４】
内周側第２凸部分３４１ｂ、径方向側内第２凸部分３４７ｂ、径方向側外第２凸部分３４９ｂ及び外周側第２凸部分３４３ｂは、内周側第１凸部分３４１ａ、径方向側内第１凸部分３４７ａ、径方向側外第１凸部分３４９ａ及び外周側第１凸部分３４３ａから延伸し、その突出先端は、光源ユニット１を器具本体３に載置すると、配線体１１の表面よりも表側に位置する。
【００４５】
内周側凸部３４１と径方向側内凸部３４７との間には凸部は存在せず、この部分３４２には、光源モジュール１０Ａ，１０Ｂ，１０Ｃ同士を電気的に接続する接続部が位置する。なお、図１２において、接続部は、一方側接続部１４１ｌだけが現れているが、図示していない他方側接続部１４２ｌも含む。
外周側凸部３４３と径方向側外凸部３４９との間には凸部は存在せず、この部分３４８には、光源モジュール１０Ａ，１０Ｂ，１０Ｃ同士を電気的に接続する接続部が位置する。なお、図１２において、接続部は、一方側接続部１４１ｄだけが現れているが、図示していない他方側接続部１４２ｄも含む。
これにより、光源モジュール１０（接続部）同士を半田で結合する際に、半田の熱により器具本体３の樹脂や補強体１７の樹脂が熱変形するようなことを防止できる。
【００４６】
器具本体３は、図１１の（ａ）に示すように、平板部３２から表側に延伸するピン３３５を複数本有する。ピン３３５は、図１２に示すように、配線体１１の貫通孔１３１を挿通する。これにより、光源ユニット１（配線体１１）の位置決めが行われる。
器具本体３において、図１１の（ｂ）に示すように、平板部３２における凹部３３が形成されていない領域が電源ユニット５を搭載するユニット搭載部３２ａとなる。器具本体３のユニット搭載部３２ａは２つの貫通孔３２ｂを有している。貫通孔３２ｂは、電源ユニット５と光源ユニット１とを電気的に接続したり、電源ユニット５に設けられた常夜灯部５５６の光を表側に出射させたり、リモコン信号用の受信部５５５が信号の送受信を行ったりするものである。
【００４７】
（２−２）筒部
器具本体３は、図１１に示すように、裏側に筒状に延伸する筒部３７を平板部３２の内周縁に有する。筒部３７は電源ユニット５の有底筒状部５３の筒部分５３１（図１３参照）に表側から嵌合（内嵌）する。筒部３７は、その延伸先端側が開口する欠け部分３７ａを周方向に間隔をおいて複数個有する。
欠け部分３７ａには電源ユニット５の係合部５３５（図１３参照）が係合し、係合部５３５の凸部分５３５ｂに保護カバー９の凸部分９３４（図１５参照）が係合する。これにより、器具本体３、光源ユニット１、電源ユニット５及び保護カバー９とが一体化される（一体的に組み立てられる）。
【００４８】
器具本体３は、図１１に示すように、電源ユニット５を固定するための固定部３２ｄを複数個（例えば６個）有する。電源ユニット５の固定にはねじ８１（図２参照）を利用しており、固定部３２ｄは、ねじ８１が螺合するねじ穴（インサートねじ）により構成されている。
器具本体３は、図１１に示すように、保護カバー９を固定するための固定部３２ｅを複数個有する。保護カバー９の固定にはねじ８３（図２参照）を利用しており、固定部３２ｅは、ねじ８３が螺合するねじ穴（インサートねじ）により構成されている。固定部３２ｅは、図１２に示すように、径方向側凸部３４５と外周側凸部３４３との交差部分又はその周辺に設けられ、合計で３箇所ある。
【００４９】
（２−３）溝部
器具本体３は、図１１に示すように、平板部３２の外周縁の全周から裏側に凹入する環状の溝部３８を有する。溝部３８には、保護カバー９の外筒部分９４２や装着部９６(図１５参照）や透光性カバー７の溝部７２３の内周壁７２３ａや器具装着部７３（図１８参照）等が挿入される。
器具本体３は、図１１に示すように、溝部３８の外周壁３８ｂの表側端から径方向の外方へ延伸した後に裏側に屈曲するＬ字部３９を有している。Ｌ字部３９は透光性カバー７の溝部７２３（図１８参照）に嵌る。
【００５０】
（３）電源ユニット
電源ユニット５は、図５に示すように、器具本体３の凹部３３が存在しないユニット搭載部３２ａに配されている。なお、電源ユニット５は、器具本体３の開口３１（図２参照）を覆うように搭載される。
以下、主に、図１３及び図１４を用いて説明する。
電源ユニット５は、光源ユニット１に電力を供給するための電力供給機能と、照明装置Ａを被設置面の引掛けシーリング等に取り付けるための取付機能とを一体で有する。
電源ユニット５は、ベース体５０と、ベース体５０に支持される電源回路５５と、電源回路５５を覆う蓋体５６とを備える。
【００５１】
（３−１）ベース体
ベース体５０は、板部５１と有底筒状部５３と連結部５４とを一体で有する。ここでのベース体５０は、表側から引掛けシーリング等が見えるように透明性の樹脂、例えば、自己消火性を有するポリカーボネート（ＰＣ）等が利用されている。
（３−１−１）板部
板部５１は、裏側から見ると台形と矩形状とが結合したベース形状の板状部分５１１と、当該板状部分５１１の周縁から裏側に立設する立設部分５１３とを有している。立設部分５１３は、図１４に示すように、連結部５４側に位置する下底立設領域５１３ａ，５１３ｂと、下底立設領域５１３ａ，５１３ｂと対向する上底立設領域５１３ｃと、下底立設領域５１３ａ，５１３ｂの両端に位置する一対の端立設領域５１３ｄと、端立設領域５１３ｄと上底立設領域５１３ｃとを連結する一対の傾斜立設領域５１３ｅとを有する。
立設部分５１３は蓋体５６の開口側端部と嵌合する。ここでは、下底立設領域５１３ａ，５１３ｂ、一対の端立設領域５１３ｄ及び一対の傾斜立設領域５１３ｅは蓋体５６の外側に位置し、上底立設領域５１３ｃは蓋体５６の内側に位置する。
一対の傾斜立設領域５１３ｅは、図１４に示すように、蓋体５６の開口側端部の凸部分５６３ｂが係合する貫通孔５１３ｆ（奥側の貫通孔５１３ｆは現れていない）を有している。
【００５２】
板部５１は、図１３及び図１４に示すように、電源基板５５１に取付けられたモジュール側接続部５５４を通すための貫通孔５１４（図１４では手前の貫通孔は現れていない）を有している。なお、モジュール側接続部５５４は光源ユニット１（図６の（ａ）に示すコネクタ１０３ｉ，１０４ｏ，１０５ｏ）と接続する。
板部５１は、電源基板５５１に取り付けられた常夜灯部５５６（図１３参照）と対向する部位に凹部分５１５を有している。板部５１は、電源基板５５１に取り付けられた受信部５５５（図１３参照）と対向する部位に凹部分５１６を有している。なお、受信部５５５は図外のリモコンから、点灯、消灯、調光、調色等の照明に関する信号を少なくとも受信する。
電源ユニット５が器具本体３に搭載されると、凹部分５１５，５１６は光源ユニット１の貫通孔３２ｂ（図１１参照）から器具本体３の表側に露出するように構成されている。
【００５３】
板部５１は、図１４に示すように、裏側から見たときに、立設部分５１３の内側の角部分に裏側に延伸する棒状部分５１８を有する。棒状部分５１８は電源基板５５１の貫通孔５５１ａに挿入される。
板部５１は、図１４に示すように、立設部分５１３の下底立設領域５１３ａ，５１３ｂ、一対の端立設領域５１３ｄ及び一対の傾斜立設領域５１３ｅの内側から裏側に立設する内側立設部分５１９を有している。内側立設部分５１９は組み込まれた電源基板５５１の外周縁の外側に位置する。これにより、電源基板５５１が位置決めされる。内側立設部分５１９における下底立設領域５１３ａ，５１３ｂの内側に位置する部分の略中央部分は、接続ケーブル５９５用にその高さが低くなった凹入領域５１９ａとなっている。
【００５４】
板部５１は、図１４に示すように、傾斜立設領域５１３ｅの内側であって内側立設部分５１９が存在しない部位に、裏側に延伸して電源基板５５１の裏面に係止する係止片５２１を有する。これにより、電源基板５５１がベース体５０に着脱自在に取り付けられる。なお、係止片５２１はその厚み方向に弾性変形可能である。
【００５５】
板部５１は、図１４に示すように、上底立設領域５１３ｃと内側立設部分５１９内側から裏側に突出する凸部分５２３を複数個（すべては図１４に現れていない）有する。凸部分５２３は電源基板５５１を板状部分５１１と離間する状態で表から支持する。
板部５１は、一対の端立設領域５１３ｄから半円状に張り出す張出部分５２５を有している。張出部分５２５は表裏に延伸する貫通孔５２５ａを有している。貫通孔５２５ａには蓋体５６の第２の装着部５６５のボス部分５６５ｂが挿入する。
【００５６】
（３−１−２）有底筒状部
有底筒状部５３は筒部分５３１と底部分５３２と外鍔部５３３とを有している。
筒部分５３１は裏側細りの段付き円筒状をしている。有底筒状部５３は裏側に延伸するリブ部分５３４を筒部分５３１の外周に間隔をおいて複数個（４個）設けられている。
筒部分５３１は開口側端部に係合部５３５を有している。係合部５３５は、図１３に示すように、開口５３５ａと、開口５３５ａの周辺から筒軸に向かって突出する凸部分５３５ｂとを有している。凸部分５３５ｂは器具本体３の欠け部分３７ａ（図１１参照）に嵌合する。
【００５７】
有底筒状部５３は、図１４に示すように、底部分５３２の凹入部分５３７を利用して、取付部材の一例である引掛刃５９１やロック機構を備える。ロック機構は、図１３に示すように筒部分５３１の内側から操作ボタン５９３を操作すると、図１４に示す２ヶ所の突出片５９４が表裏方向に出没する。なお、装置装着状態の突出片５９４は引掛けシーリングのロック穴に嵌合している。
【００５８】
有底筒状部５３は、図１４に示すように、引掛刃５９１と電源回路５５とを接続する接続ケーブル５９５用の溝部分５３８を有している。有底筒状部５３は裏側に突出するボス部分５３９を外鍔部５３３に有している。ボス部分５３９は、図１３に示すように、裏側に延伸する雌ねじ部５３９ａを有する。雌ねじ部５３９ａはインサートねじにより構成されている。雌ねじ部５３９ａには、電源ユニット５を器具本体３に固定するための固定具の一例であるねじ８１（図２参照）が螺合する。これにより、器具本体３と電源ユニット５とを確実に固定でき、安全性を向上できる。
【００５９】
（３−１−３）連結部
連結部５４は図１３に示すように連結板部分５４１を有している。連結板部分５４１の一端は板部５１の板状部分５１１に連結され、連結板部分５４１の他端は有底筒状部５３の外鍔部５３３に連結されている。
連結部５４は、図１４に示すように、連結板部分５４１の中央部位から裏側に立設する一対の立設部分５４２を有している。一対の立設部分５４２は、板部５１の内側立設部分５１９の凹入領域５１９ａと、有底筒状部５３の溝部分５３８とを連結する。一対の立設部分５４２の間には接続ケーブル５９５が配される。
【００６０】
連結部５４は、図１４に示すように、一対の立設部分５４２が対向する方向であって一対の立設部分５４２の外側に係止部分５４４を有する。係止部分５４４は、対向する状態で裏側に延伸し、対向する部位に相手側に向かって突出する凸領域５４４ａを有する。なお、手前の凸領域５４４ａは係止部分５４４の影で図１４には現れていない。係止部分５４４の凸領域５４４ａは、図１３に示すように、蓋体５６の張出部５６７の凸領域５６７ｄに係合する。
【００６１】
（３−２）電源回路
電源回路５５はＬＥＤ１５に電力を供給する機能を有する。ここでの電源回路５５は、リモコンから送信される信号に基づいてＬＥＤ１５の点灯を制御する機能、リモコンからの信号を受信する受信部５５５に電力を供給する機能、常夜灯部５５６に電力を供給する機能等を有する。
電源回路５５は、電源基板５５１と、電源基板５５１に実装された複数個の電子部品５５２と、電源基板５５１に設けられたケーブル側接続部５５３（図１４参照）と、電源基板５５１に設けられたモジュール側接続部５５４とを備える。なお、複数個の電子部品５５２は、図１４では２つのブロックとして表し、上記機能を発揮すべく、例えば、整流回路、平滑回路、昇降圧回路、さらには、調光回路、調色回路を構成している。
電源基板５５１はベース形状をしている。電源基板５５１は隅に、ベース体５０の棒状部分５１８用の貫通孔５５１ａを有している。
【００６２】
ケーブル側接続部５５３の一例であるコネクタは、図１４に示すように、一端が引掛刃５９１に接続された接続ケーブル５９５の他端に設けられたコネクタ５９６と着脱自在に結合される。なお、図１３及び図１４では接続ケーブル５９５は電源基板５５１に接続された状態を表している。
モジュール側接続部５５４の一例である接続ピンは、電源基板５５１の端子に接続するベース端子５５４ａと、ベース端子５５４ａから電源基板５５１を挿通して表側に延出するリードピン部５５４ｂとを備える。
【００６３】
電源ユニット５は、図１３に示すように、電源基板５５１の表面であってモジュール側接続部５５４の近傍に常夜灯部５５６と受信部５５５とを備える。常夜灯部５５６はＳＭＤタイプのＬＥＤにより構成され、受信部５５５は例えば赤外線用の受光素子により構成される。
【００６４】
（３−３）蓋体
蓋体５６は、例えば、Ｖ−０のガラス入りナイロンや難燃性ポリカーボネート（ＰＣ）等の難燃性の樹脂により構成されている。
蓋体５６は、図１３及び図１４に示すように、ベース形状の蓋板部５６１ａの周縁から側板部が表側に延伸する蓋本体５６１を備える。側板部は、下底側板部５６１ｂと上底側板部５６１ｃと一対の短側板部５６１ｄと一対の傾斜側板部５６１ｅとを有する。
上底側板部５６１ｃと一対の短側板部５６１ｄと一対の傾斜側板部５６１ｅは、表裏方向に延伸する貫通孔５６１ｆを複数個有する。この貫通孔５６１ｆを設けることにより、電源ユニット５の放熱効率をアップさせることができる。蓋板部５６１ａの裏面に、図１４に示すように、弾性体４を装着するための弾性体装着部分５６１ｇを有する。
【００６５】
蓋体５６は蓋本体５６１の開口側端の略全周から表側に延伸する延伸部５６２を有する。延伸部５６２は、図１３に示すように、下底側板部５６１ｂに設けられた下底延伸部分５６２ｂと、上底側板部５６１ｃに設けられた上底延伸部分５６２ｃと、一対の短側板部５６１ｄに設けられた短延伸部分５６２ｄと、一対の傾斜側板部５６１ｅに設けられた傾斜延伸部分５６２ｅとを有する。
【００６６】
蓋体５６は、図１４に示すように、蓋本体５６１の一対の傾斜側板部５６１ｅから表側に延伸する延伸部分５６３ａと、延伸部分５６３ａから外側に突出する凸部分５６３ｂを有する。凸部分５６３ｂはベース体５０の一対の傾斜立設領域５１３ｅの貫通孔５１３ｆに係合する。つまり、延伸部分５６３ａと凸部分５６３ｂは蓋体５６をベース体５０に装着するための第１の装着部５６３である。
蓋体５６は、蓋本体５６１の一対の短側板部５６１ｄから蓋本体５６１の外方へ板状に張り出す張出部分５６５ａと、張出部分５６５ａから表側に延伸するボス部分５６５ｂと、ボス部分５６５ｂに形成されたねじ孔５６５ｃとを有する。ボス部分５６５ｂはベース体５０の貫通孔５２５ａ(図１３参照）に嵌合し、ねじ孔５６５ｃには、電源ユニット５を器具本体３に固定するためのねじ８１（図２参照）が螺合する。つまり、張出部分５６５ａ、ボス部分５６５ｂ及びねじ孔５６５ｃは、蓋体５６をベース体５０に装着するための第２の装着部５６５である。
【００６７】
蓋体５６は下底延伸部分５６２ｂから有底筒状部５３側に張り出す張出部５６７を有する。張出部５６７は側板部分５６７ａに凸領域５６７ｄを有している。凸領域５６７ｄは、図１４に示すように、ベース体５０の連結部５４の係止部分５４４の凸領域５４４ａと係合する。つまり蓋体５６の凸領域５６７ｄと連結部５４の係止部分５４４の凸領域５４４ａとは、蓋体５６をベース体５０に装着するための第３の装着部である。
張出部５６７の先端は、図１３に示すように、表側に屈曲する屈曲部分５６７ｅとなっており、屈曲部分５６７ｅは、図１４に示すように、ベース体５０の一対の立設部分５４２間に配される接続ケーブル５９５を覆う。
【００６８】
（４）保護カバー
図１７を用いて説明する。
保護カバー９は中央に開口９１を有するドーム状をしている。換言すると、保護カバー９は回転体状をしている。保護カバー９は、回転中心軸から離れた円弧を回転中心軸周りに回転させてなる回転体状部９２と、回転体状部９２の内周縁から裏側に延伸する内筒部９３と、回転体状部９２の外周縁から裏側に延伸する外筒部９４と、外筒部９４に設けられ且つ透光性カバー７を着脱自在に装着する装着部９６とを有する。
【００６９】
（４−１）回転体状部
回転体状部９２は、周方向に等角度をおいて裏側に凹入する凹入部分９２１を複数個（配線体１１の個数と同じ３個である）有する。
以下、図１５及び図１６を用いて説明する。
凹入部分９２１の裏側端面９２１ａは隣接する配線体１１間（図１６では、隣接する配線体１１Ａ，１１Ｃ間である）に位置する。凹入部分９２１の裏側端面９２１ａは、図１５に示すように、径方向に延伸し、その延伸方向に間隔をおいて裏側に突出する突出板部分９２２を複数個（例えば３個）有する。突出板部分９２２は、裏側端面９２１ａの延伸方向である仮想線に対して線対称となる形状をしている。突出板部分９２２はその突出端の端面の中央に凹み９２２ａを有している。なお、凹み９２２ａには、図１２に示す器具本体３の径方向側内第２凸部分３４７ｂと径方向側外第２凸部分３４９ｂが嵌合し、器具本体３に対して光源ユニット１及び保護カバー９が位置決めされる。
突出板部分９２２の突出端は、図１６に示すように、光源ユニット１の配線体１１における周方向の（径方向に延伸する）端縁に位置する外側昼白色導電片１２０ｄ（図１６では、「１２０Ｃｄ」や「１２０Ａｄ」である）や外側電球色導電片１２０ｌ（図１６では、「１２０Ｃｌ」である）と当接（支持）する。これにより、光源ユニット１が保護カバー９により器具本体３側へと押圧された状態で固定される。
【００７０】
回転体状部９２は、図１５に示すように、内周端に裏側に延伸する内筒部分９２３を有している。内筒部分９２３は円筒状をし、その筒軸が開口９１の中心を通る。内筒部分９２３は、凹入部分９２１間の膨出部分９２４に存在し、凹入部分９２１に存在しない。
回転体状部９２は裏側に延伸する外筒部分９２５を外周端に有している。外筒部分９２５は円筒状をし、その筒軸が開口９１の中心を通る。外筒部分９２５は、凹入部分９２１間の膨出部分９２４に存在し、凹入部分９２１に存在しない。
【００７１】
（４−２）内筒部
主に図１５を用いて説明する。
内筒部９３は、回転体状部９２の内筒部分９２３の裏側端から開口９１の内側に延伸する平坦部分９３１と、平坦部分９３１の内周端から裏側に延伸する内筒部分９３２とを有する。
内筒部９３は、平坦部分９３１に裏側に突出する突出部分９３３を有する。突出部分９３３は、外周側から凸条に突出する外突出部分９３３ａと、外突出部分９３３ａに対して内側に間隔をおいて凸条に突出する内突出部分９３３ｂと、平坦状に突出する平坦突出部分９３３ｃとを有する。外突出部分９３３ａと内突出部分９３３ｂは、裏側から見ると開口９１の中央を中心とする円弧状をしている。平坦突出部分９３３ｃは周方向に間隔をおいて複数個存在する。
【００７２】
外突出部分９３３ａ、内突出部分９３３ｂ及び平坦突出部分９３３ｃの裏側端面は同一面内に含まれる。外突出部分９３３ａ、内突出部分９３３ｂ及び平坦突出部分９３３ｃの裏側端面は、図１６に示すように、光源モジュール１０の内周端部と当接する。平坦部分９３１において、図１５に示すように、回転体状部９２の凹入部分９２１の裏側端面９２１ａと連結する連結部分９３１ａは、裏側端面９２１ａと面一となっており、図１６に示すように配線体１１と接触しない。
【００７３】
内筒部９３は、図１５に示すように、内筒部分９３２の外周面の凸部分９３４と、凸部分９３４の両側の溝部分９３５とをセットとして複数組（例えば３組）を有する。これにより、凸部分９３４が形成されている部位が内筒部分９３２の厚み方向に弾性変形可能となる。凸部分９３４は、器具本体３の筒部３７の欠け部分３７ａ（図１１参照）に嵌合する電源ユニット５の有底筒状部５３の係合部５３５（図１３参照）に係合する。これにより、保護カバー９、光源ユニット１、器具本体３及び電源ユニット５が一体化される。
【００７４】
（４−３）外筒部
主に図１５を用いて説明する。
外筒部９４は、回転体状部９２の外筒部分９２５の裏側端から径方向外方に延伸する平坦部分９４１と、平坦部分９４１の外周端から裏側に延伸する外筒部分９４２とを有する。
外筒部９４は平坦部分９４１に裏側に突出する突出部分９４３を有する。突出部分９４３は、内周側から凸条に突出する内突出部分９４３ａと、内突出部分９４３ａに対して外側に間隔をおいて凸条に突出する外突出部分９４３ｂと、平坦状に突出する平坦突出部分９４３ｃとを有する。内突出部分９４３ａと外突出部分９４３ｂは、裏側から見ると開口９１の中央を中心とする円弧状をしている。平坦突出部分９４３ｃは周方向に間隔をおいて複数個存在する。
【００７５】
内突出部分９４３ａ、外突出部分９４３ｂ及び平坦突出部分９４３ｃの裏側端面は同一面内に含まれる。内突出部分９４３ａ、外突出部分９４３ｂ及び平坦突出部分９４３ｃの裏側端面は、図１６に示すように、光源ユニット１の外周端部と当接する。
平坦部分９４１において、図１５に示すように、回転体状部９２の凹入部分９２１の裏側端面９２１ａと連結する連結部分９４１ａは、裏側端面９２１ａと面一となっており、配線体１１と接触しない。
【００７６】
外筒部９４は、図１５に示すように、平坦部分９４１に設けられたボス部分９４５に貫通孔９４５ａを有する。貫通孔９４５ａには図２に示すねじ８３が挿通する。なお、ねじ８３は図に示す器具本体３の平板部３２の固定部３２ｅに螺合する。
これにより、保護カバー９、光源ユニット１及び器具本体３が一体化される。ボス部分９４５は、図１５に示すように、回転体状部９２の凹入部分９２１における裏側端面９２１ａの延長上に位置する。換言すると、ボス部分９４５は連結部分９４１ａに設けられている。
図６の（ａ）に示すように、各配線体１１における外周縁であって周方向の端部は、ボス部分９４５用の欠け部１１ａを有する。なお、欠け部１１ａはボス部分９４５に嵌合するため、ボス部分９４５は位置決め機能を有する。
【００７７】
外筒部９４は、図１５に示すように、外筒部分９４２の内周面の凸部分９４６と、の両側に溝部分９４７とをセットで複数組（例えば３組）有する。これにより、凸部分９４６が形成されている部位が外筒部分９４２の厚み方向に弾性変形可能となる。
凸部分９４６は、器具本体３の溝部３８の内周部分３８ａの凹み３８ｄ（図１１の（ａ）参照）に係合する。これにより、保護カバー９が器具本体３に装着される。
【００７８】
（４−４）装着部
図１５を用いて説明する。
装着部９６は水平部分９６１と立設部分９６２とを直交する状態で有する。
水平部分９６１は、透光性カバー７の係合凹入部分７３２ａ（図１８参照）に係合する係合凸部９６４を表裏方向に弾性可能に有する。
装着部９６は、図１７に示すように、平坦部分９４１の裏面側に位置するように水平部分９６１があり、水平部分９６１の表面の周方向の両端が、表側に突出し且つ径方向に延伸するリブ部分９６１ａ，９６１ｂとなっている。
外筒部９４における装着部９６が設けられている部位に裏側端に凹入部分９４８を有している。これにより、製造時に複数枚の保護カバー９を重ねて搬送する際に、凹入部分９４８に水平部分９６１が嵌合し、表裏方向に寸法を小さくできる。
平坦部分９４１は、リブ部分９６１ａと離間する状態で表側に突出する突出部分９４１ｂを有している。リブ部分９６１ａと突出部分９４１ｂとの間に立設部分９６２の裏側端が嵌る。これにより、装着部９６が表裏方向に位置するように複数枚の保護カバー９を重ねた際に、表側に位置する保護カバー９が裏側に位置する保護カバー９に対して回転するようなことを防止できる。
なお、凹入部分９４８における立設部分９６２と反対側の開口部分９４８ａが丸くなっており、水平部分９６１の凹入部分９４８への嵌合が容易となる。
【００７９】
（５）透光性カバー
主に図１８を用いて説明する。
透光性カバー７は、器具本体３側に装着される裏カバー７１と、裏カバー７１に取り付けられる表カバー７５とを有する。
【００８０】
（５−１）裏カバー
裏カバー７１は、表側拡がりの裏カバー本体７２と、裏カバー本体７２の内側に設けられた器具装着部７３と、裏カバー本体７２の表側端部に設けられた表カバー取付部７４とを有する。
裏カバー本体７２は、表拡がりの筒状部７２１と、筒状部７２１の裏側端から表側に「Ｌ」字状に延伸してなる溝部７２３とを有する。
【００８１】
器具装着部７３は、裏カバー本体７２の溝部７２３の内周壁７２３ａに設けられた係止片部分７３２により構成される。係止片部分７３２は、周方向に間隔を置いて且つ筒軸に向かって張り出し、裏側に凹入する係合凹入部分７３２ａを有している。係合凹入部分７３２ａには、図３に示すように、器具本体３の溝部３８内で、器具本体３に取り付けられた保護カバー９の係合凸部９６４(図１５参照）が係合する。これにより、裏カバー７１が保護カバー９に取付けられる。なお、係合凹入部分７３２ａと係合凸部９６４の係合は、裏カバー７１（透光性カバー７）の回転により行われる。
【００８２】
表カバー取付部７４は、裏カバー本体７２における筒状部７２１の表側端の内周面に設けられた凸部７４１と、筒状部７２１の表側端の内側に形成された内側筒部分７４２と、内側筒部分７４２における凸部７４１と対向する部位に設けられた欠け部分７４３とで構成される。
【００８３】
（５−２）表カバー
表カバー７５は、表側から見たときに円形状で且つ全体としてドーム状をするドーム部７６と、ドーム部７６の開口側に設けられた筒部７７と、筒部７７に設けられた表カバー取付部７８とを有する。表カバー取付部７８は凸部分７８ａにより構成される。表カバー７５の筒部７７が裏カバー７１の裏カバー本体７２（筒状部７２１）と内側筒部分７４２との間に挿入された状態で、凸部分７８ａは裏カバー７１の凸部７４１に係合する。
【００８４】
以上、実施形態を説明したが、この実施形態に限られるものではなく、例えば、以下のような変形例であってもよい。また、実施形態と変形例、変形例同士を組み合わせたものであってもよい。
また、実施形態や変形例に記載していない例や、要旨を逸脱しない範囲の設計変更があっても本発明に含まれる。
【００８５】
＜変形例＞
１．器具本体
器具本体３は絶縁性材料である樹脂を利用しているが、金属材料等の導電性材料を利用して器具本体を構成してもよい。なお、導電性材料を利用する場合、光源ユニットとの間で、絶縁シートや絶縁膜等の絶縁対策が必要となる。
器具本体３は、円環状をしているが、四角環状等の他の形状であってもよい。
【００８６】
２．光源ユニット
（１）光源モジュール
光源ユニット１は、３個の光源モジュール１０Ａ，１０Ｂ，１０Ｃを備えているが、１個又は３個以外の複数個の光源モジュールを備えてもよい。
光源モジュール１０は、円環状を周方向に１／３分割したような形状をしているが、円環状を径方向に１／３分割したような形状であってもよい。なお、汎用性を考慮すると、複数個の配線体が同じ形状、構造をしている方が好ましい。
実施形態の光源モジュール１０Ａは、外周縁側であって仮想線Ｘ１の両側に電源ユニット５とのコネクタ１０３ｉ，１０４ｏ，１０５ｏを有しているが、内周縁側であって仮想線Ｘ１の両側にコネクタを有してもよいし、周方向の縁部にコネクタを有してもよい。また、周方向の両縁部に離れてコネクタを設けてもよい。
【００８７】
（２）導電片
導電片１２におけるＬＥＤ１５を実装する側の面には反射膜が形成されているが、反射膜は、配線体の少なくとも外周部と内周部とに形成されていればよい。つまり、円環状をする光源ユニット１の内周部分と外周部分とが、円環状の保護カバー９の内周部と外周部とに近づき、ＬＥＤ１５の光の一部が保護カバー９で反射するからである。
【００８８】
（３）補強体
実施形態の補強体１７は、介在補強部２１と表側補強部２２と裏側補強部２３とを有しているが、配線体１１の機械的特性を確保できれば、介在補強部２１と表側補強部２２と裏側補強部２３とのすべてを有する必要はない。
実施形態の介在補強部２１は、直線部分２１ａと円部分２１ｂとを有しているが、配線体１１の機械的特性を確保できれば、直線部分２１ａと円部分２１ｂとのすべてを有する必要はない。また、円部分は三角形や四角形等の他の形状であってもよい。
【００８９】
実施形態の表側補強部２２は、表側中央補強部２２１と表側端補強部２２３とを有しているが、配線体１１の機械的特性を確保できれば、表側中央補強部２２１が設けられている部分に表側端補強部２２３を設けてもよい。表側中央補強部２２１は一対の表延伸部分２２４と表連結部分２２５とを有しているが、配線体１１の機械的特性を確保できれば、表連結部分２２５はなくてもよい。また、配線体１１の機械的特性を確保できない場合、隣接する表側端補強部２２３を連結するようにしてもよい。この場合、表側中央補強部２２１により配線体１１の表側の全面を補強するとも言える。
【００９０】
実施形態の裏側補強部２３は、裏側中央補強部２３１と裏側端補強部２３３とを有しているが、配線体１１の機械的特性を確保できれば、裏側中央補強部２３１が設けられている部分に裏側端補強部２３３を設けてもよい。裏側中央補強部２３１は一対の裏延伸部分２３４と裏連結部分２３５とを有しているが、配線体１１の機械的特性を確保できれば、裏連結部分２３５はなくてもよい。
また、配線体１１の機械的特性を確保できる場合、裏側端補強部２３３は、裏連結部分２３７と裏端連結部分２３８，２３９の少なくとも１つを有しなくてもよい。
【００９１】
実施形態の補強体１７は、表側補強部２２の表側端補強部２２３と、裏側補強部２３の裏延伸部分２３６とを、配線体１１における表裏の同じ位置に有しているが、別の位置に有してもよい。
実施形態の補強体１７は、表側補強部２２の表側中央補強部２２１と、裏側補強部２３の裏側中央補強部２３１とを、配線体１１における表裏の同じ位置に有しているが、別の位置に有してもよい。
【００９２】
（４）接続部
実施形態では、光源モジュール１０同士の接続、例えば、光源モジュール１０Ａの一方側接続部１４１と光源モジュール１０Ｂの他方側接続部１４２との接続に半田を利用したが、例えば、ねじ等の螺合部材、リベット等の締結部材を利用して電気的に接続してもよい。また、一方側接続部１４１と他方側接続部１４２との一方に凸部を設け、他方に凸部に嵌合する孔又は凹みを設け、互いに嵌合するようにしてもよい。
【００９３】
（５）その他
ＬＥＤ１５は、昼白色ＬＥＤ１５ｄと電球色ＬＥＤ１５ｌとの２種類を含んでいたが、１種類のＬＥＤであってもよいし、３種類以上のＬＥＤを含んでもよい。
導電片１２は金属片により構成されているが、例えば、絶縁材料の表面に導電膜を有するようなものであってもよい。
ＬＥＤ１５ｄ，１５ｌは、各配線体１１の径方向に同じ種類の複数個のＬＥＤ１５ｌ，１５ｄが配され、径方向に並ぶＬＥＤ群が周方向に交互になる状態で配されている。しかしながら、複数個のＬＥＤ１５は実施形態と異なるルールで配されてもよい。異なるルールとして、例えば、各配線体１１の周方向の中央を径方向に延伸する仮想線Ｘ１と平行な方向に複数個のＬＥＤが配され、仮想線Ｘ１の方向に並ぶＬＥＤ群が周方向に交互になる状態で配されてもよい。
実施形態では、光源素子の一例として、ＬＥＤ素子を備えているが、他の光源素子を備えてもよい。他の光源素子としては、有機ＥＬ素子や、レーザー等がある。
【００９４】
３．照明装置
実施形態の照明装置は、引掛刃を有する、所謂シーリングライトであったが、他のタイプであってもよい。
つまり、照明装置は、導電片を備える光源モジュールを備えていればよく、光源モジュールと、器具本体と、透光性カバーとを備える照明装置であってもよいし、光源モジュールと、器具本体と、透光性カバーと、電源ユニットとを備える照明装置であってもよい。
また、光源モジュールが長尺状をし、器具本体が設置面に固定されるベースライトであってもよい。器具本体が設置面に埋設されるダウンライトであってもよい。
【符号の説明】
【００９５】
Ａ    照明装置
１    光源ユニット
１１    配線体
１２    導電片
１３    供給路
１５    ＬＥＤ素子（発光素子）
１７    補強体
２１    介在補強部
２２    表側補強部
２３    裏側補強部
【図１】
2019117764.tif 000003
【図２】
2019117764.tif 000004
【図３】
2019117764.tif 000005
【図４】
2019117764.tif 000006
【図５】
2019117764.tif 000007
【図６】
2019117764.tif 000008
【図７】
2019117764.tif 000009
【図８】
2019117764.tif 000010
【図９】
2019117764.tif 000011
【図１０】
2019117764.tif 000012
【図１１】
2019117764.tif 000013
【図１２】
2019117764.tif 000014
【図１３】
2019117764.tif 000015
【図１４】
2019117764.tif 000016
【図１５】
2019117764.tif 000017
【図１６】
2019117764.tif 000018
【図１７】
2019117764.tif 000019
【図１８】
2019117764.tif 000020